(57)【要約】【課題】  楽器が発する音のうちステージの後方へ響いた音を前方の観客席側へ反射させて音響効果を改善するために使用される音反射装置であり、運搬や施設内への搬入等が簡単にできるようにするものを提供する。【解決手段】  音反射装置Ｓはフレーム１，１と複数枚の反射板２を備えている。各フレーム１は、台フレーム１０、台フレーム１０の所要位置から上方へ向けて垂設してある下部フレーム１１、下部フレーム１１と台フレーム１０の前側に斜めに架け渡して取り付けてある斜設フレーム１２、前方に回動可能に取り付けてある回動フレーム１３、下部フレーム１１の上端に連結して取り付けてある中間フレーム１４、中間フレーム１４の上端に連結して取り付けてある上部フレーム１５を備えている。反射板２は、組み立てて形成されたフレーム１の前面側に実質的に隙間が形成されないよう取り付けてある。【選択図】        図１
2005077519.tif 000002
【特許請求の範囲】
【請求項１】
音を反射させて音響効果の改善を図る音反射装置であって、
分解及び組み立て可能なフレームと、
組み立てて形成されるフレームに着脱可能に取り付けられる反射板と、
を備えたことを特徴とする、
音反射装置。
【請求項２】
フレームに取り付けられる反射板の下部は、前方となる方向へ向けて下り傾斜するよう構成してあることを特徴とする、
請求項１記載の音反射装置。
【請求項３】
フレームに取り付けられる反射板の下部は、傾斜角度を変えることができるよう構成してあることを特徴とする、
請求項１記載の音反射装置。
【請求項４】
分解及び組み立て可能なフレームと、組み立てて形成されるフレームに着脱可能に取り付けられる反射板を備え、音を反射させて音響効果の改善を図る音反射装置であって、
上記音反射装置は、上部反射部、下部反射部および中間反射部を含んで構成され、上記下部反射部は可動機構により音の反射方向を変えられるよう構成してあり、上記上部反射部は音の反射方向を変えられないか、または可動機構により音の反射方向を変えられるよう構成してあることを特徴とする、
音反射装置。
【発明の詳細な説明】
【技術分野】
【０００１】
本発明は音楽会等にて使用される音反射装置に関する。更に詳しくは、例えば、楽器が発する音のうちステージの後方へ響いた音を前方の観客席側へ反射させて音響効果を改善するために使用される音反射装置であって、運搬や施設内への搬入等が簡単にできるようにしたものに関する。
また、例えば、ステージの後方の下側へ響いた音を観客席側となる前方の上側に反射させるようにしたものに関する。
更に、例えば、施設において観客席とステージの高さの差が様々に違う場合でも、対応できるようにしたもの関する。
【背景技術】
【０００２】
従来から多目的ホールや体育館における音楽会等では、楽器等が発する音のうちステージの後方へ響いた音を前方の観客側へ反射させて音響効果を改善するものとして音反射装置が使用されている。このような音反射装置としては、例えば、特許文献１に開示されたものが知られている（図８参照）。音反射装置はステージの後方に設置して使用される。
【０００３】
特許文献１記載の音反射装置は、次のような構成を備えている。
音反射装置は、キャスターを有する移動ベースと、移動ベースに立設してある支持フレームと、支持フレームの上部に傾斜して設けてある回動フレームと、支持フレームと回動フレームに固定された複数の音反射板を備えている。この音反射装置は、音反射板を固定した状態で支持フレームが、下部の固定フレームと、この上部に繋がれた着脱フレームとに分離可能なように組み立てられている。
【０００４】
【特許文献１】実開平７−４１５９６号公報
【発明の開示】
【発明が解決しようとする課題】
【０００５】
しかし、上記した特許文献１記載の音反射装置には、次のような課題がある。
(1) 支持フレームが、固定フレームと着脱フレームに音反射板を固定した状態で分離可能なよう構成されているが、それ以上の分解、即ち、部品等の単位までは分解できないようであるので、運搬や他の施設へ搬入が簡単でない。
【０００６】
(2) 例えば、音楽会等が催される施設では、ステージの床面が観客席側から所要の高さの位置に設けられているところがある。この場合では観客席とステージとの間に段差ができるので、従来の音反射装置であっても、音反射板の下部に当たった音を観客席側の下方に反射させて観客の耳に入りやすくできるので、音響効果が改善できる。
しかし、ステージのない、即ち、演奏を行う場所と観客席との間に実質的に段差がないところでは、従来の音反射装置は、音反射板の下部に当たった音を観客席側の床面に向けて反射させてしまうので、十分な音響効果の改善を図ることができない。
一般的に、観客席とステージの高さの差は施設によって様々であるので、音反射装置は、音反射板の下部で反射する音の方向が、施設に対応して効果的な方向へ向けることができるよう構成してあることが望ましい。
【０００７】
本発明の目的は、運搬や施設内への搬入等が簡単にできるようにする音反射装置を提供することにある。
また、本発明に他の目的は、例えば、ステージの後方の下側へ響いた音を観客席側となる前方の上側に反射させるようにする音反射装置を提供することにある。
更に、本発明に他の目的は、例えば、施設において観客席とステージの高さの差が様々違う場合でも、対応できるようにする音反射装置を提供することにある。
【課題を解決するための手段】
【０００８】
上記目的を達成するために講じた本発明の手段は次のとおりである。
第１の発明にあっては、
音を反射させて音響効果の改善を図る音反射装置であって、
分解及び組み立て可能なフレームと、
組み立てて形成されるフレームに着脱可能に取り付けられる反射板と、
を備えたことを特徴とする、
音反射装置である。
【０００９】
第２の発明にあっては、
フレームに取り付けられる反射板の下部は、前方となる方向へ向けて下り傾斜するよう構成してあることを特徴とする、
第１の発明に係る音反射装置である。
【００１０】
第３の発明にあっては、
フレームに取り付けられる反射板の下部は、傾斜角度を変えることができるよう構成してあることを特徴とする、
第１の発明に係る音反射装置である。
【００１１】
第４の発明にあっては、
分解及び組み立て可能なフレームと、組み立てて形成されるフレームに着脱可能に取り付けられる反射板を備え、音を反射させて音響効果の改善を図る音反射装置であって、
上記音反射装置は、上部反射部、下部反射部および中間反射部を含んで構成され、上記下部反射部は可動機構により音の反射方向を変えられるよう構成してあり、上記上部反射部は音の反射方向を変えられないか、または可動機構により音の反射方向を変えられるよう構成してあることを特徴とする、
音反射装置である。
【００１２】
本発明に係る音反射装置は、例えば、ステージと観客席との間に段差があるような多目的ホールや体育館等の施設でも使用できるし、このような段差のないまたは実質的にない、例えば、公民館、結婚式場等の施設でも使用できる。
【００１３】
（作  用）
本発明に係る音反射装置は、音楽会等において、楽器等が発する音のうちステージの後方へ響いた音を前方の観客側へ反射させて音響効果を改善するものとして、ステージの後方等に設置して使用される。
【００１４】
本発明に係る音反射装置は、組み立てて形成されるフレームに反射板を着脱可能に取り付けて構成される。
【００１５】
フレームに取り付けられる反射板の下部が、前方となる方向へ向けて下り傾斜するよう構成してあるものは、反射板の下部に当たった音を、前方となる観客席側等の上方に向けて反射することができる。
【００１６】
音反射装置による音の反射方向（指向）は、設置する施設に対応して効果的な方向へ向けることができるよう調整される。
フレームに取り付けられる反射板の下部が、傾斜角度を変えることができるよう構成してあるものは音の反射方向を変えることができる。
【００１７】
また、上部反射部、下部反射部および中間反射部を含んで構成されたものは、下部反射部が可動機構により音の反射方向を変えられるようにできるし、上部反射部については音の反射方向を変えられないか、または可動機構により音の反射方向を変えられるようにできる。
【発明の効果】
【００１８】
本発明は上記構成を備え、次の効果を有する。
（ａ）本発明に係る音反射装置は、分解及び組み立て可能なフレームと、組み立てて形成されるフレームに着脱可能に取り付けられる反射板を備えて構成されるので、反射板やフレームを部品等の単位まで分解可能でありコンパクトにできる。従って、運搬や他の施設へ搬入等が簡単である。
【００１９】
（ｂ）フレームに取り付けられる反射板の下部が、前方となる方向へ向けて下り傾斜するよう構成してあるものは、反射板の下部に当たった音を前方の観客席側等の上方に向けて反射することができる。従って、例えば、観客席とステージの間に実質的に段差がないところでは、多くの音を観客の耳に入りやすくでき、更なる音響効果の改善を図ることができる。
【００２０】
（ｃ）フレームに取り付けられる反射板の下部が、傾斜角度を変えることができるよう構成してあるものや、上部反射部、下部反射部および中間反射部を含んで構成されたものは、音の反射方向を変えることができる。従って、例えば、施設において観客席とステージの高さの差が様々違う場合でも対応して音響効果の改善を図ることができる。
【発明を実施するための最良の形態】
【００２１】
本発明の実施の形態を図面に基づき更に詳細に説明する。
図１は本発明に係る音反射装置の一実施の形態を示す斜視説明図、
図２は図１に示す音反射装置の使用状態を示す説明図、
図３は中間フレームと下部フレームの連結状態及び回動フレームを斜設フレームに重ねた状態を示す斜視説明図、
図４は回動フレームの角度を変えた状態を示す斜視説明図、
図５は図４に示すＡ部を拡大して示す斜視説明図、
図６は図１に示すＢ部を拡大して示す斜視説明図、
図７は上部フレームと中間フレームとの連結構造を拡大して示す分解斜視説明図である。
なお、図７においては図示の便宜上上部フレーム１５の向きを変えて表している。
【００２２】
音反射装置Ｓは、所要間隔をおいて設けてあるフレーム１，１（本実施の形態では左右一対）と、フレーム１，１間に架け渡して上下方向に取り付けられる複数枚の反射板２・・・を備えている。
音反射装置Ｓは、ピアノ等の楽器が置かれた場所より後方に設置して使用される（図２参照）。
【００２３】
各フレーム１は、台フレーム１０と、台フレーム１０の所要位置から上方へ向けて垂設してある下部フレーム１１と、下部フレーム１１と台フレーム１０の前側に斜めに架け渡して取り付けてある斜設フレーム１２を備えている。また、斜設フレーム１２と台フレーム１０とを連結するボルトＢ１に回動可能に取り付けてある回動フレーム１３と、下部フレーム１１の上端に連結して取り付けてある中間フレーム１４と、中間フレーム１４の上端に連結して取り付けてある上部フレーム１５を備えている。台フレーム１０、下部フレーム１１、中間フレーム１４、上部フレーム１５は所要長さを有する金属製の角パイプ（横断面略正方形状を有する）を使用して形成されている。また、斜設フレーム１２、回動フレーム１３は所要長さを有する金属製の等辺山形鋼（横断面略「Ｌ」型形状を有する）を使用して形成されている。フレーム１を構成する金属は特に限定するものではなく、例えば、鉄、ステンレス、アルミニウム、チタン等が使用可能である。また、フレーム１は合成樹脂で形成したものを使用することもできる。
【００２４】
台フレーム１０の両端側にはキャスター１００，１００が設けてある。台フレーム１０の前側の側壁には、斜設フレーム１２や回動フレーム１３を取り付けるための貫通孔１０１が形成されている。台フレーム１０の略中央部には、下部フレーム１１を連結するための連結突起１０２が上方に向けて突設してある。
【００２５】
下部フレーム１１は、下部側を台フレーム１０の連結突起１０２に嵌め入れて立てて設けてある。下部フレーム１１の上端部は、後壁から前壁にかけて下り傾斜するよう斜めに形成されている（図３、図４参照）。下部フレーム１１の前壁及び後壁には、反射板２を取り付けるための貫通孔１１０，１１０が所定間隔で形成されている。また、下部フレーム１１の側壁の略中央部にあたる箇所には、斜設フレーム１２を取り付けるための貫通孔１１１が形成されている。
【００２６】
斜設フレーム１２の両端側の側壁には、台フレーム１０や下部フレーム１１に取り付けるための貫通孔１２０，１２１が形成されている。また、斜設フレーム１２の両端の前壁側には、台フレーム１０や下部フレーム１１を嵌めるための切欠部１２２が形成されている。
【００２７】
回動フレーム１３の下部側の側壁には、取り付けのための貫通孔１３３が形成されている。回動フレーム１３の前壁には、反射板２，２を取り付けるための貫通孔１３０・・・が所定間隔で形成されている。
【００２８】
斜設フレーム１２と回動フレーム１３は、斜設フレーム１２の側壁が内側に位置し、互いの側壁が対向するよう回動フレーム１３を斜設フレーム１２の前壁上に重ね、貫通孔１２０と貫通孔１３３と台フレーム１０の貫通孔１０１にボルトＢ１を通してナット（図では見えない）を螺合し、更に、斜設フレーム１２の貫通孔１２１と下部フレーム１１の貫通孔１１１とにボルトＢ２を通してナット（図では見えない）を螺合して取り付けてある。このときボルトＢ１に螺合するナットはあまり締め付けず、回動フレーム１３が回動可能な程度にしておく。
【００２９】
回動フレーム１３の略中央部にあたる箇所には、回動フレーム１３の固定位置を決めるための角度調整部材１３１が、裏面から斜め下方に突出して設けてある（図６参照）。角度調整部材１３１は金属製の等辺山形鋼で形成してあり、その一方の側壁には角度を調整するための切込溝１３２・・・が所要間隔を設けて複数形成されている。角度調整部材１３１は、切込溝１３２・・・が内側を向くよう基部を側壁に当ててピンＰにより軸着して回動可能に設けてある。各切込溝１３２は斜設フレーム１２の前壁を構成する板材が挿し込み可能な幅に形成されている。
【００３０】
中間フレーム１４の前壁及び後壁には、反射板２・・・を取り付けるための貫通孔１４０・・・が所定間隔で形成されている。また、中間フレーム１４の上端部は、前側から後側にかけて下り傾斜するよう形成されており、その前壁と後壁には共に切欠部１４１，１４２が設けられている（図７参照）。この上端部の側壁間には軸部材１４３が水平に設けてある。また、軸部材１４３にはボルトＢ３が外方向に突出して固着してあり、このボルトＢ３は軸部材１４３を中心として回動可能である。
【００３１】
中間フレーム１４の下端部には、下部フレーム１１の内部に挿し込み可能な挿込部１４４が設けてある。挿込部１４４は挿し込んだときに下部フレーム１１の内面と実質的に隙間なく接するように、下部フレーム１１の外形状よりも小さい角パイプ状に形成されている。挿込部１４４の基部に形成された段部１４５は、縁部が後壁から前壁にかけて下り傾斜し、下部フレーム１１の上端縁と実質的に隙間なく合う形状に形成されている。
【００３２】
中間フレーム１４は、挿込部１４４を下部フレーム１１の上端部内に挿し込み、段部１４５の縁部と下部フレーム１１の上端縁とを密着させて、下部フレーム１１に取り付けてある。これにより中間フレーム１４は、下部フレーム１１に対してがたつきが少ない状態で連結される。
【００３３】
上部フレーム１５は、外形状が上記した下部フレームや中間フレーム１４よりも小さい角パイプで形成されている。具体的には中間フレーム１４の上端部の側壁間に嵌め入れることができる大きさに形成されている。
【００３４】
上部フレーム１５の前壁及び後壁には、反射板２・・・を取り付けるための貫通孔１５０が所定間隔で形成されている。上部フレーム１５の下部側には、前壁の面の一部を下部側から上部側にかけて緩やかに凹ませて傾斜させた係合凹部１５１が形成されている。具体的には係合凹部１５１は、側面視にて略「へ」型形状を有するよう形成されている。係合凹部１５１のうち緩やかに傾斜した面と急に傾斜した面とが交わる部分は、上記した切欠部１４１の底部が接する係合部１５２を構成する。
【００３５】
係合凹部１５１よりも下部側の前後壁には、軸部材１４３に設けられたボルトＢ３を通すための貫通孔１５３が形成されている。貫通孔１５３はやや長穴状に形成されている。
上部フレーム１５は、係合凹部１５１の係合部１５２が中間フレーム１４の切欠部１４１の底部と接するように中間フレーム１４の側壁間に嵌めると共にボルトＢ３を貫通孔１５３に通して、突き出た部分に蝶ねじ１６を螺合することによって中間フレーム１４に取り付けてある。上部フレーム１５は、中間フレーム１４に取り付けられた状態で、切欠部１４１の底部を支点として自重で前方に傾斜しており、後壁の貫通孔１５３の周囲が蝶ねじ１６に強く当たった状態にある。
【００３６】
反射板２・・・は厚みの薄い長方形の板状形状を有している。各反射板２には、両側部からやや内方に入ったそれぞれの箇所に、取り付けのための貫通孔（符号省略）が、幅方向に所要間隔をあけて二箇所づつ、計四箇所に形成してある。
【００３７】
反射板２・・・のうち、中間フレーム１４寄りに取り付けられる回動フレーム１３の反射板２と、この反射板２と隣接する中間フレーム１４の反射板２との間と、上部フレーム１５寄りに取り付けられる中間フレーム１４の反射板２と、この反射板２と隣接する上部フレーム１５の反射板２との間を除く、反射板２と隣接する反射板２との間には、接合部材１７が設けられている。
【００３８】
接合部材１７は、隣接する反射板２，２の間に実質的に隙間が生じないようにするためのものであり、反射板２・・・の長さと略同じ長さを有している。接合部材１７は、嵌合溝１７０，１７０が対向した断面略「Ｈ」型形状を有しており、反射板２の縁部を嵌合溝１７０に嵌めて取り付けてある。
【００３９】
各反射板２は、表面側からボルトＢ４を貫通孔に通し、下部フレーム１１の貫通孔１１０、回動フレーム１３の貫通孔１３０、中間フレーム１４の貫通孔１４０、上部フレーム１５の貫通孔１５０等に通して、裏面側からナット（図７参考）を螺合することでフレーム１に取り付けてある。反射板２・・・は、接合部材１７で繋がれていない、隣接する反射板２，２間にも実質的に隙間が形成されないようにして取り付けてある。
なお、反射板２・・・はすべて同じ形状を有しており、下部フレーム１１、回動フレーム１３、中間フレーム１４、上部フレーム１５のどの位置にでも取り付け可能である。
上部フレーム１５とこれに取り付けられた反射板２は上部反射部を構成し、中間フレーム１４とこれに取り付けられた反射板２は中間反射部を構成し、下部フレーム１１及び回動フレーム１３とこれに取り付けられた反射板２は下部反射部を構成する。
【００４０】
本実施の形態で示す反射板２・・・は、ＭＤＦ（中密度圧縮合板）で形成したものを使用したが、これは限定するものではなく、例えば、金属、合成樹脂、無垢や集成材の木材、パーティクルボード等で形成したものを使用することもできる。
【００４１】
本実施の形態で示す音反射装置Ｓは、おおよそ全高２８００ｍｍ、横幅１２００ｍｍの大きさを有しており、また、各反射板２は、幅４００ｍｍ、長さ１２００ｍｍの大きさを有するものを使用した。しかし、音反射装置Ｓや反射板２の大きさは特に限定するものではなく任意に設定可能である。
【００４２】
本実施の形態で示す反射板２は、複数枚で構成されるものを使用したが、これは限定するものではなく、例えば、蝶番等や柔軟性を有する帯状体等で繋いで一体化してあるものを使用することもできる。
【００４３】
（作  用）
図１ないし図７を参照して、本実施の形態で示す音反射装置Ｓの作用を説明する。
音反射装置Ｓは、回動フレーム１３がボルトＢ１を中心として回動可能であるので、斜設フレーム１２上に重ねた状態（図３参照）から回動させて、取り付けられた反射板２，２の傾斜角度を変えることができる（図４参照）。反射板２，２は、角度調整部材１３１を外方に撓ませて、これが斜設フレーム１２に当たって邪魔にならないようにして回動させ、角度調整部材１３１の撓ませた状態を元に戻して、所要の切込溝１３２を斜設フレーム１２に嵌め込むことで固定される。反射板２，２は、切込溝１３２が所要間隔を設けて複数形成されているので、嵌め込む位置を変えることにより任意の傾斜角度で固定できる。
【００４４】
上部フレーム１５は、中間フレーム１４の側壁間に嵌めて、切欠部１４１の底部を支点として自重で前方に傾斜しており、後壁の貫通孔１５３の周囲が蝶ねじ１６に強く当たった状態で中間フレーム１４に取り付けられている。つまり、蝶ねじ１６は、後壁の貫通孔１５３の周囲に当たることで、上部フレーム１５がこれ以上前方に傾斜しないようにするストッパー機能を有している。従って、上部フレーム１５は、蝶ねじ１６を回して位置を変えることにより、切欠部１４１の底部を支点として回動でき、これにより反射板２の傾斜角度を変えることができる。また、このように上部フレーム１５の反射板２の傾斜角度を変えた場合でも、隣接する中間フレーム１４の反射板２との間には、上部フレームが切欠部１４１の底部を支点とし、この部分を中心として回動するので隙間は形成されない。なお、上部フレーム１５は、自重で前方に傾斜し、後壁の貫通孔１５３の周囲が蝶ねじ１６にあたることで停止しているので、後方への回動は制御されていない。
【００４５】
音反射装置Ｓは、斜設フレーム１２に回動フレーム１３を重ねて、下部側の反射板２が傾斜した状態で使用した場合では、下部側の反射板２，２により楽器等が発する音のうち後方の下側へ当たった音を前方の観客席側等の上側に反射させることができる。従って、例えば、ステージの床面と観客席との間に実質的に段差がないところでは、このような状態で使うことによって、多くの音が観客の耳に入りやすくでき、更なる音響効果の改善を図ることができる。
【００４６】
音反射装置Ｓは、回動フレーム１３や上部フレーム１５を回動させて任意の傾斜角度で固定できるので、音の反射方向を変えることができる。従って、例えば、ステージの床面が観客席より高く段差があるところでは、回動フレーム１３の傾斜角度を大きくし、反射板２を垂設したような状態にすることによって、この反射板２に当たった音を観客席側の下方に反射させて観客の耳に入りやすいようにすることもできる。つまり、音反射装置Ｓは、観客席とステージの高さに差がある施設でも対応して音響効果の改善を図ることができる。
【００４７】
音反射装置Ｓは、構成部材が部品の単位まで分解可能でありコンパクトにできるので、例えば、自動車の荷台やトランク等に収容したりすることもでき、運搬や他の施設へ搬入等が簡単である。特に本実施の形態で示す音反射装置Ｓは、フレーム１が中空部を有する角パイプで形成してあり、反射板２・・・も木製のものを使用しているので、比較的軽量であり取り扱いが容易である。
【００４８】
なお、本実施の形態で中間フレーム１４と上部フレーム１５の取付構造は、上部フレーム１５が回動した場合でも上部フレーム１５の反射板２と、隣接する中間フレーム１４の反射板２との間には隙間が形成されないか、または実質的に形成されないようにするために上記に示す構造のものを採用したが、これは限定するものではなく、例えば、蝶番を中間フレーム１４と上部フレーム１５の前壁の外面または内面の間に設けて取り付けるような構造を採用することもできる。
【００４９】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【図面の簡単な説明】
【００５０】
【図１】本発明に係る音反射装置の一実施の形態を示す斜視説明図。
【図２】図１に示す音反射装置の使用状態を示す説明図。
【図３】中間フレームと下部フレームの連結状態及び回動フレームを斜設フレームに重ねた状態を示す斜視説明図。
【図４】回動フレームの角度を変えた状態を示す斜視説明図。
【図５】図４に示すＡ部を拡大して示す斜視説明図。
【図６】図１に示すＢ部を拡大して示す斜視説明図。
【図７】上部フレームと中間フレームとの連結構造を示す拡大分解斜視説明図。
【図８】従来の音反射装置を示す斜視説明図。
【符号の説明】
【００５１】
Ｓ  音反射装置
Ｂ１，Ｂ２，Ｂ３，Ｂ４  ボルト
Ｐ  ピン
１  フレーム
１０  台フレーム
１００  キャスター
１０１  貫通孔
１０２  連結突起
１１  下部フレーム
１１０  貫通孔
１１１  貫通孔
１２  斜設フレーム
１２０  貫通孔
１２１  貫通孔
１２２  切欠部
１３  回動フレーム
１３０  貫通孔
１３１  角度調整部材
１３２  切込溝
１３３  貫通孔
１４  中間フレーム
１４０  貫通孔
１４１  切欠部
１４２  切欠部
１４３  軸部材
１４４  挿込部
１４５  段部
１５  上部フレーム
１５０  貫通孔
１５１  係合凹部
１５２  係合部
１５３  貫通孔
１７  接合部材
１７０  嵌合溝
２  反射板
【図１】
2005077519.tif 000003
【図２】
2005077519.tif 000004
【図３】
2005077519.tif 000005
【図４】
2005077519.tif 000006
【図５】
2005077519.tif 000007
【図６】
2005077519.tif 000008
【図７】
2005077519.tif 000009
【図８】
2005077519.tif 000010